(57)【要約】【課題】本発明はスリッパに加工する材料を型抜きするだけで、サンダル状のスリッパとして楽に使用することができたり、あるいは接着剤等の安価な係止手段で、安価で容易に製造することができたり、あるいは係止手段として安価な両面接着テープを用いることが可能なスリッパを得るにある。【解決手段】足の大きさよりも大きく形成された可撓性のスリッパ本体と、このスリッパ本体の先端部を弧状に切り欠いて、弧状の帯状となるように形成された前部係止片と、前記スリッパ本体の中央部よりも後部寄りの部位にＵ字状に切り欠いて形成されたＵ字帯状の鼻緒部材と、このＵ字帯状の鼻緒部材の中央部と、前記前部係止片の中央部とを係止する係止手段とでスリッパを構成している。【選択図】  図１
2006141811.tif 000002
【特許請求の範囲】
【請求項１】
足の大きさよりも大きく形成された可撓性のスリッパ本体と、このスリッパ本体の先端部を弧状に切り欠いて、弧状の帯状となるように形成された前部係止片と、前記スリッパ本体の中央部よりも後部寄りの部位にＵ字状に切り欠いて形成されたＵ字帯状の鼻緒部材と、このＵ字帯状の鼻緒部材の中央部と、前記前部係止片の中央部とを係止する係止手段とを備えたことを特徴とするスリッパ。
【請求項２】
スリッパ本体はゴムや発泡樹脂材等の弾性材で形成されたベース部材と、このベース部材の表面を覆うように固定された不織布や抗菌シート等のシート材とで構成されていることを特徴とする請求項１記載のスリッパ。
【請求項３】
係止手段は鼻緒部材の中央部に形成された係合孔と、前部係止片に形成された前記係合孔へ挿入され、係止される係合片とで構成されていることを特徴とする請求項１、２いずれかに記載のスリッパ。
【発明の詳細な説明】
【技術分野】
【０００１】
本発明はホテルや旅館、飛行機や個室列車、集会場等で使い捨て状態で使用されるスリッパに関する。
【背景技術】
【０００２】
従来の使い捨てスリッパは不織布等の安い材料を使用しているが、形状は普通のスリッパと同じ形状に形成されている。
【０００３】
このため、製造に手数がかかり、普通のスリッパよりも安く製造することができるが、使い捨てでの使用が可能な程、安価に製造することができないという欠点があった。
【特許文献１】特になし。
【発明の開示】
【発明が解決しようとする課題】
【０００４】
本発明は以上のような従来の欠点に鑑み、スリッパに加工する材料を型抜きするだけで、サンダル状のスリッパとして楽に使用することができたり、あるいは係止手段として安価で容易に製造することができる接着剤や両面接着テープ等を用いることが可能なスリッパを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は足の大きさよりも大きく形成された可撓性のスリッパ本体と、このスリッパ本体の先端部を弧状に切り欠いて、弧状の帯状となるように形成された前部係止片と、前記スリッパ本体の中央部よりも後部寄りの部位にＵ字状に切り欠いて形成されたＵ字帯状の鼻緒部材と、このＵ字帯状の鼻緒部材の中央部と、前記前部係止片の中央部とを係止する係止手段とでスリッパを構成している。
【発明の効果】
【０００７】
以上の説明から明らかなように、本発明にあっては次に列挙する効果が得られる。
【０００８】
（１）足の大きさよりも大きく形成された可撓性のスリッパ本体と、このスリッパ本体の先端部を弧状に切り欠いて、弧状の帯状となるように形成された前部係止片と、前記スリッパ本体の中央部よりも後部寄りの部位にＵ字状に切り欠いて形成されたＵ字帯状の鼻緒部材と、このＵ字帯状の鼻緒部材の中央部と、前記前部係止片の中央部とを係止する係止手段とで構成されているので、前部係止片と鼻緒部材とで足先の係止部にできる。
したがって、加工が容易で、安価に製造することができる。
【０００９】
（２）前記（１）によって、係止手段として両面接着テープを用いれば、安価で容易に前部係止片と鼻緒部材を固定することができるが、係合孔と係止片にすることにより１部品ででき、より安価で容易に製造することができる。
【００１０】
（３）前記（１）により、安価に製造することができるため、使い捨て状態で使用しても不経済にならず、かえって衛生的で気持ちよく使用することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は安価に製造でき、使い捨て状態で使用することができる本発明のスリッパで、このスリッパ１は足の大きさよりも大きく形成された可撓性のスリッパ本体２と、このスリッパ本体２の先端部に弧状の切り欠き３を形成して、弧状の帯状となるように形成された前部係止片４と、前記スリッパ本体２の中央部よりも後部寄りの部位にＵ字状の切り欠き５を形成してＵ字帯状の鼻緒部材６と、このＵ字帯状の鼻緒部材６の中央部と前記前部係止片４の中央部とを係止する係止手段７とで構成されている。
【００１４】
前記スリッパ本体２は、ゴムや発泡樹脂材等の弾性材で形成されたベース部材８と、このベース部材８の表面を覆うように固定された不織布９とで構成されている。なお、ベース部材８だけでスリッパ本体２を形成してもよい。
【００１５】
前記係止手段７は前記鼻緒部材６の中央部に形成された内側中央部に切り欠き部１０を有する長方形状の透孔１１の係合孔１２と、前記前部係止片４の中央部の内側にほぼＴ字状に突出するように切り抜かれた、前記係合孔１２に係合される係合片１３とで構成されている。
【００１６】
なお、前記前部係止片４を形成する弧状の切り欠き３および、前記鼻緒部材６を形成するＵ字状の切り欠き５の両端部は、小さな円形状の透孔１４、１４、１４、１４を形成して、破損を防止している。
【００１７】
上記構成のスリッパ１は図５に示すように、一足部を重ね合わせて包装袋１５に収納され流通される。
使用する場合には包装袋１５より取り出し、前部係止片４を図６に示すように後方へ曲げるとともに、鼻緒部材６を図７に示すように前方へ曲げ、中央部を前部係止片４の中央部と重ね合わせ、前部係止片４の中央部の係合片１３を図８に示すように鼻緒部材６の中央部の係合孔１２へ挿入させることにより、  鼻緒部材６と前部係止片４とが一体となり、図１に示すように足を鼻緒部材６内に挿入して、スリッパ１として使用することができる。
［発明を実施するための異なる形態］
【００１８】
次に、図９ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、ベース部材８の表面を布地あるいは抗菌剤が塗布、含浸あるいは混合された素材を用いて形成された抗菌シート１６で覆ったスリッパ本体２Ａを用いた点で、このように形成されたスリッパ本体２Ａを用いて構成したスリッパ１Ａにしても、前記本発明を実施するための最良の第１の形態と同様な作用効果が得られる。
【００２０】
図１２ないし図１４に示す本発明を実施するための第３の形態において、前記本発明を実施するための第２の形態と主に異なる点は、鼻緒部材６の中央部に形成した長方形状の透孔の係合孔１２Ａと、前部係止片４に形成した該係合孔１２Ａよりも後部が大きく形成された矢印形状の係合片１３Ａとからなる係止手段７Ａを用いた点で、このような係止手段７Ａを用いて構成したスリッパ１Ｂにしても、前記本発明を実施するための第２の形態と同様な作用効果が得られる。
【００２１】
図１５ないし図１９に示す本発明を実施するための第４の形態において、前記本発明を実施するための第２の形態と主に異なる点は、剥離紙１７で覆われた両面接着テープ１８を前部係止片４の裏面中央部に貼着した係止手段７Ｂを用いた点で、このような係止手段７Ｂを用いて形成したスリッパ１Ｃにしても、前記本発明を実施するための第２の形態よりも係止手段７Ｂで、わずかにコストアップになるが、その他は同様な作用効果が得られる。
なお、図１８に示すような長い両面接着テープ１８Ａを用いることにより、図１９に示すように鼻緒部材６を巻き付けて固定することができる。
【００２２】
図２０ないし図２２に示す本発明を実施するための第５の形態において、前記本発明を実施するための最良の第１の形態と主に異なる点は、前部係止片４の中央部に丸孔状の透孔１１Ａおよび切り欠き部１０を形成した係合孔１２Ｂと、鼻緒部材６の中央部に形成した一対の切り欠き部１９、１９および該一対の切り欠き部１９、１９間の鼻緒部材６と一体形成された弧状の係合片１３Ｂとからなる
係止手段７Ｃを用いた点で、このような係止手段７Ｃを用いて形成したスリッパ１Ｄにしても、前記本発明を実施するための最良の第１の形態と同様な作用効果が得られる。
【００２３】
図２３ないし図２５に示す本発明を実施するための第６の形態において、前記本発明を実施するための最良の第１の形態と主に異なる点は、前部係止片４の上面中央部に固定された面ファスナー２０と、鼻緒部材６の底面中央部に固定された前記面ファスナー２０と着脱可能な面ファスナー２１とからなる係止手段７Ｄを用いた点で、このような係止手段７Ｄを用いて形成したスリッパ１Ｅにしても、前記本発明を実施するための最良の第１の形態と同様な作用効果が得られる。
なお、本発明の実施の形態では係止手段７Ｄとして面ファスナー２０、２１を用いるものについて説明したが、本発明はこれに限らず、ボタンやスナップなどの係止具を用いても良い。
【産業上の利用可能性】
【００２４】
本発明は使い捨てスリッパを製造する産業で利用される。
【図面の簡単な説明】
【００２５】
【図１】本発明を実施するための最良の第１の形態の使用状態の説明図。
【図２】本発明を実施するための最良の第１の形態の平面図。
【図３】本発明を実施するための最良の第１の形態の側面図。
【図４】図２の４−４線に沿う断面図。
【図５】本発明を実施するための最良の第１の形態の包装袋に収納された説明図。
【図６】本発明を実施するための最良の第１の形態の前部係止片を後方へ曲げる説明図。
【図７】本発明を実施するための最良の第１の形態の鼻緒部材を前方へ曲げる説明図。
【図８】本発明を実施するための最良の第１の形態の係止手段の係止状態にする説明図。
【図９】本発明を実施するための第２の形態の平面図。
【図１０】本発明を実施するための第２の形態の側面図。
【図１１】本発明を実施するための第２の形態の使用状態の説明図。
【図１２】本発明を実施するための第３の形態の平面図。
【図１３】本発明を実施するための第３の形態の側面図。
【図１４】本発明を実施するための第３の形態の係止手段の係止状態にする説明図。
【図１５】本発明を実施するための第４の形態の平面図。
【図１６】本発明を実施するための第４の形態の底面図。
【図１７】本発明を実施するための第４の形態の係止手段の係止状態にする説明図。
【図１８】本発明を実施するための第４の形態の係止手段の異なる例の平面図。
【図１９】本発明を実施するための第４の形態の係止手段の係止状態にする説明図。
【図２０】本発明を実施するための第５の形態の平面図。
【図２１】本発明を実施するための第５の形態の側面図。
【図２２】本発明を実施するための第５の形態の使用状態の説明図。
【図２３】本発明を実施するための第６の形態の平面図。
【図２４】本発明を実施するための第６の形態の底面図。
【図２５】本発明を実施するための第６の形態の使用状態の説明図。
【符号の説明】
【００２６】
１、１Ａ、１Ｂ、１Ｃ、１Ｄ、１Ｅ：スリッパ      、
２、２Ａ：スリッパ本体、            ３：弧状の切り欠き、          
４：前部係止片、              ５：Ｕ字状の切り欠き、
６：鼻緒部材、                ７、７Ａ、７Ｂ、７Ｃ、７Ｄ：係止手段、
８：ベース部材、              ９：不織布、
１０：切り欠き部、                  １１、１１Ａ：透孔、
１２、１２Ａ、１２Ｂ：係合孔、      １３、１３Ａ、１３Ｂ：係合片、
１４：透孔、                        １５：包装袋、
１６：布地あるいは抗菌シート、１７：剥離紙、
１８、１８Ａ：両面接着テープ  １９：切り欠き部、
２０：面ファスナー、          ２１：面ファスナー。
【図１】
2006141811.tif 000003
【図２】
2006141811.tif 000004
【図３】
2006141811.tif 000005
【図４】
2006141811.tif 000006
【図５】
2006141811.tif 000007
【図６】
2006141811.tif 000008
【図７】
2006141811.tif 000009
【図８】
2006141811.tif 000010
【図９】
2006141811.tif 000011
【図１０】
2006141811.tif 000012
【図１１】
2006141811.tif 000013
【図１２】
2006141811.tif 000014
【図１３】
2006141811.tif 000015
【図１４】
2006141811.tif 000016
【図１５】
2006141811.tif 000017
【図１６】
2006141811.tif 000018
【図１７】
2006141811.tif 000019
【図１８】
2006141811.tif 000020
【図１９】
2006141811.tif 000021
【図２０】
2006141811.tif 000022
【図２１】
2006141811.tif 000023
【図２２】
2006141811.tif 000024
【図２３】
2006141811.tif 000025
【図２４】
2006141811.tif 000026
【図２５】
2006141811.tif 000027